(57)【特許請求の範囲】
【請求項１】
複数の通信ノードと接続するＡＳ装置において、当該ＡＳ装置の通信の再開時、前記通信ノードに対して通信の再開を通知する再開信号を送信する、ＡＳ装置における分割送信方法であって、
前記通信ノードに接続されている移動機によって実行されている処理の内容を示す情報である接続情報を収集する情報収集ステップと、
前記接続情報に基づいて、複数の前記通信ノードの各々について、前記再開信号を送信するにあたっての優先順位を決定する優先順位決定ステップと、
前記優先順位決定ステップにおいて決定された優先順位に基づいて、複数の前記通信ノードに対する前記再開信号の送信順序を決定する送信順序決定ステップと、
を含むことを特徴とするＡＳ装置における分割送信方法。
【請求項２】
前記情報ステップは、
前記通信ノードに接続されている移動機の契約に関する契約情報を取得する契約情報取得ステップを含み、
優先順位決定ステップは、
前記接続情報と共に前記契約情報を考慮して前記通信ノードの優先順位を決定することを特徴とする請求項１に記載のＡＳ装置における分割送信方法。
【請求項３】
前記接続情報は、前記移動機によって実行されている処理に課金が発生していたか否かを示す情報と、前記移動機がメールを送信する処理を行っていたか否かを示す情報との少なくとも一方を含むことを特徴とする請求項１または２に記載のＡＳ装置における分割送信方法。
【請求項４】
前記契約情報は、前記移動機が他の特定の移動機との間の通信にかかる料金の割引契約をしているか否かを示す情報を含むことを特徴とする請求項２に記載のＡＳ装置における分割送信方法。
【請求項５】
前記送信順序決定ステップは、前記優先順位決定ステップにおいて決定された優先順位が高い前記通信ノードから順番に前記再開信号が送信されるよう送信順序を決定する、または前記優先順位決定ステップにおいて決定された優先順位が低い前記通信ノードから順番に前記再開信号が送信されるよう送信順序を決定することを特徴とする請求項１から４のいずれか１項に記載のＡＳ装置における分割送信方法。
【請求項６】
複数の通信ノードと接続するＡＳ装置において、当該ＡＳ装置の通信の再開時、前記通信ノードに対して通信の再開を通知する再開信号を送信する分割送信装置であって、
前記通信ノードに接続されている移動機によって実行されている処理の内容を示す情報である接続情報を取得する情報収集手段と、
前記接続情報に基づいて、複数の前記通信ノードの各々について、前記再開信号を送信するにあたっての優先順位を決定する優先順位決定手段と、
前記優先順位決定手段によって決定された優先順位に基づいて、複数の前記通信ノードに対する前記再開信号の送信順序を決定する送信順序決定手段と、
を含むことを特徴とする分割送信装置。
【発明の詳細な説明】
【技術分野】
【０００１】
本発明は、ＡＳ装置における分割送信方法、分割送信装置に係り、特に、ＡＳ装置の通信再開通知を分割送信する分割送信方法、この分割送信方法によって通信再開を通知する分割送信装置に関する。
【背景技術】
【０００２】
外部３ＧＧＰ等で規定されるＩＭＳ（ＩＰ Multimedia Subsystem）は、原則システムが正常に動作している場合の処理を規定するものであって、ノード装置の保守や保守後のサービス再開に関するＳＩＰ上の処理は規定されていない。ＩＭＳにおいて、ＡＳ（Application Server）装置は複数のＣＳＣＦ（Call Session Control Function）と接続してサービスを提供することができるサーバ装置である。このため、ＡＳ装置の故障や保守後の再開時には複数のＣＳＣＦに対して通信の再開を通知する信号を送信することが必要となる。
【０００３】
なお、本明細書では、ＣＳＣＦに対して再開を通知する信号を再開信号と記す。再開信号は、ＳＩＰのプロトコルによる制御信号の一つとして規定されている信号であるものとする。ＡＳ装置において再開信号を送信するノードを分割送信装置と記す。
分割送信装置がＣＳＣＦに対して再開信号を送信する場合、多数のＣＳＣＦに一度に再開信号を送信すると、信号送信の処理にバーストが発生することが懸念される。バーストの発生を抑えるため、現在の分割送信装置では、送信すべき多数の再開信号を分割し、再開信号を一部ずつ送信する仕組みがある。本明細書では、このような仕組みを分割送信と記す。
【０００４】
また、ＣＳＣＦには、適用される処理等によってＡＳ装置との通信を他のＣＳＣＦより優先すべきものがある。ＣＳＣＦにおける通信再開の緊急性の高低を、本明細書では、通信再開の優先順位と記す。
ＣＳＣＦに対して無作為に、あるいは通し番号等に基づいてＣＳＣＦを選択して順番に再開信号を送信すると、ＣＳＣＦの通信再開の優先順位とは無関係に通信再開通知が送信されることになる。このため、通信再開の緊急性が高い呼あるいはＣＳＣＦよりも先に、緊急性がより低い呼あるいはＣＳＣＦの通信行われるという、不具合が生じる。
【０００５】
このような不具合を解消するため、通信再開の優先順位に基づいてＡＳ装置とＣＳＣＦとの通信を再開させる従来技術としては、例えば、特許文献１がある。特許文献１には、ネットワークに接続された機器ごとにネットワークへの影響の大きさを示す「貢献度」を算出し、貢献度の大きい機器から順番に故障処理の手配を実行している。特許文献１でいう貢献度は、例えば、貢献度評価の対象となっているサービスが基幹サービスであるか否かといった、サービスの種別によって決まる重みを使って算出されている。
【先行技術文献】
【特許文献】
【０００６】
【特許文献１】特開平１１−３１３１３０号公報
【発明の概要】
【発明が解決しようとする課題】
【０００７】
ところで、ＣＳＣＦでは、サービスに課される料金の課金制御が行われる。サービスでは、所定の時間、呼の接続が維持され、この間にサービスの提供が行われる。このため、サービスの提供が行われている途中で呼が切断され、所定の時間の経過後に再開された場合、課金が発生したにも関わらずサービスの提供が完了しないことがある。
また、メールの送信処理をしていたＣＳＣＦがある場合、比較的短時間のうち、このＣＳＣＦに対してメールの返信のための呼が要求される可能性がある。
【０００８】
しかしながら、上記した特許文献１に記載された発明では、リストから選択されたサービスが基幹サービスであるか否かといった、予め設定された情報に基づいてこのサービスに携わる器機のネットワークに対する貢献度を求めている。このため、課金処理やメール送信といったＡＳ装置が故障する直前のＣＳＣＦの状態に基づいて通信再開の優先順位を決定することはできない。
【０００９】
したがって、従来の通信システムでは、課金処理中のサービス呼（サービスを要求するための呼）があった場合にも、このサービス呼を送信した携帯電話機と接続されていたＣＳＣＦの通信再開が優先されないことになる。また、ＡＳ装置の故障の直前にメールを受信したユーザが、このメールに返信しようとした場合、メールが正常に送信できない可能性が高くなる。このような場合にあっても、従来技術は、ユーザにサービスに対する不満を与えることになる。
本発明は、上記した点に鑑みてなされたものであって、ＡＳ装置が故障する直前のＣＳＣＦの処理に関する状態に基づいて通信再開の優先順位を決定するＡＳ装置における分割送信方法、分割送信装置を提供することを目的とする。
【課題を解決するための手段】
【００１０】
以上の課題を解決するため、本発明のＡＳ装置における分割送信方法は、複数の通信ノードと接続するＡＳ装置において、当該ＡＳ装置の通信の再開時、前記通信ノードに対して通信の再開を通知する再開信号を送信する、ＡＳ装置における分割送信方法であって、前記通信ノードに接続されている移動機によって実行されている処理の内容を示す情報である接続情報を収集する情報収集ステップ（例えば図４に示したステップＳ４０１〜４０３）と、前記接続情報に基づいて、複数の前記通信ノードの各々について、前記再開信号を送信するにあたっての優先順位を決定する優先順位決定ステップ（例えば図４に示したステップＳ４０５）と、前記優先順位決定ステップにおいて決定された優先順位に基づいて、複数の前記通信ノードに対する前記再開信号の送信順序を決定する送信順序決定ステップ（例えば図４に示したステップＳ４０６）と、を含むことを特徴とする。
【００１１】
このような発明によれば、通信ノードに接続されている移動機によって実行されている処理の内容に基づいて通信再開の優先順位を決定することができる。また、優先順位に基づいて通信ノードに再開信号を送信することにより、通信ノードに接続されている移動機のユーザのＡＳ装置の故障による不満を緩和することができる。
また、本発明のＡＳ装置における分割送信方法は、上記した発明において、前記情報ステップが、前記通信ノードに接続されている移動機の契約に関する契約情報を取得する契約情報取得ステップ（例えば図４に示したステップＳ４０３）を含み、優先順位決定ステップは、前記接続情報と共に前記契約情報を考慮して前記通信ノードの優先順位を決定することが望ましい。
【００１２】
このような発明によれば、通信再開の優先順位の決定に契約情報を考慮することができるから、ユーザのＡＳ装置の故障による不満をさらに緩和することができる。
また、本発明のＡＳ装置における分割送信方法は、上記した発明において、前記接続情報が、前記移動機によって実行されている処理に課金が発生していたか否かを示す情報と、前記移動機がメールを送信する処理を行っていたか否かを示す情報との少なくとも一方を含むことが望ましい。
【００１３】
このような発明によれば、ＡＳ装置の故障によって課金処理が中断され、再度課金処理を実行する操作や、後に非課金処理がされる煩雑さがなくなって、ユーザのＡＳ装置の故障による不満を緩和することができる。また、送信されたメールに対する返信メールの受信に支障が出ることを低減し、ユーザのＡＳ装置の故障による不満を緩和することができる。
【００１４】
また、本発明のＡＳ装置における分割送信方法は、上記した発明において、前記契約情報が、前記移動機が他の特定の移動機との間の通信にかかる料金の割引契約をしているか否かを示す情報を含むことが望ましい。
このような発明によれば、頻繁に通信することが予想されるユーザの移動機が接続されていたＣＳＣＦの通信を優先して再開させることができる。このため、ユーザのＡＳ装置の故障による不満を緩和することができる。
【００１５】
また、本発明のＡＳ装置における分割送信方法は、上記した発明において、前記送信順序決定ステップが、前記優先順位決定ステップにおいて決定された優先順位が高い前記通信ノードから順番に前記再開信号が送信されるよう送信順序を決定する、または前記優先順位決定ステップにおいて決定された優先順位が低い前記通信ノードから順番に前記再開信号が送信されるよう送信順序を決定することを特徴とする。
【００１６】
このような発明によれば、優先順位が高い前記通信ノードから順番に前記再開信号が送信されるよう送信順序を決定することにより、早期に通信再開を通知すべきＣＳＣＦを優先して再開信号を送信することができる。また、優先順位が低い前記通信ノードから順番に前記再開信号が送信されるよう送信順序を決定することにより、すでに確立されている通信をより長い時間維持することができる。
【００１７】
本発明の分割送信装置は、複数の通信ノードと接続するＡＳ装置（例えば図１に示したＡＳ装置１０１）において、当該ＡＳ装置により通信の再開時、前記通信ノードに対して通信の再開を通知する再開信号を送信する分割送信装置（例えば図２に示した分割送信装置２００）であって、前記通信ノードに接続されている移動機によって実行されている処理の内容を示す情報である接続情報を取得する情報収集手段（例えば図２に示した情報収集部２０５、接続情報蓄積部２０８）と、前記接続情報に基づいて、複数の前記通信ノードの前記再開信号を受けるにあたっての優先順位を決定する優先順位決定手段（例えば図２に示した再開信号送信指示部２０２）と、前記優先順位決定手段によって決定された優先順位に基づいて、複数の前記通信ノードに対する前記再開信号の送信順序を決定する送信順序決定手段（例えば図２に示した再開信号送信指示部２０２）と、を含むことを特徴とする。
【００１８】
このような発明によれば、通信ノードに接続されている移動機を使ってユーザにより実行されている処理の内容に基づいて通信再開の優先順位を決定することができる。また、優先順位に基づいて通信ノードに再開信号を送信することにより、通信ノードに接続されている移動機のユーザのＡＳ装置の故障による不満を緩和することができる。
【発明の効果】
【００１９】
ＡＳ装置が故障する直前のＣＳＣＦの処理に関する状態に基づいて通信再開の優先順位を決定し、早期に通信を再開すべきＣＳＣＦとの通信を優先的に再開することができる。このため、ユーザが通信の中断によって感じる煩わしさを低減することができる。
【図面の簡単な説明】
【００２０】
【図１】本発明の一実施形態の分割送信装置が適用される通信システムを説明するための図である。
【図２】図１に示したＡＳ装置の分割送信装置を説明するための図である。
【図３】図２に示した情報テーブルを例示するための図である。
【図４】本発明の一実施形態の分割送信方法を説明するためのフローチャートである。
【図５】図４に示した処理によって決定されたＣＳＣＦの優先順位に基づいて再開信号送信順序を決定する処理を説明するためのフローチャートである。
【図６】本発明の一実施形態の変形例を説明するための図である。
【図７】本発明の一実施形態の他の変形例を説明するための図である。
【発明を実施するための形態】
【００２１】
以下、本発明の一実施形態の分割送信方法、この分割送信方法を使って分割送信をする分割送信装置を説明する。
（システム構成）
図１は、本実施形態の分割送信装置が適用される通信システムを説明するための図である。通信システムは、ＡＳ装置（Application Server）１０１と、ＡＳ装置１０１と接続する複数（ｎ個）のＣＳＣＦ（Call Session Control Function）１０２ａ〜１０２ｎと、ＨＬＲ（Home Location Register）１０３とを含んでいる。なお、本実施形態は、本実施形態が移動機である携帯電話機の通信に適用される例について説明するものとする。
【００２２】
ＡＳ装置１０１は、ユーザからの要求を受け付けて、データベースなどの業務システムの処理に橋渡しする機能を持ったサーバ装置である。ＨＬＲ１０３は、携帯電話番号や端末識別番号等の契約情報を管理するデータベースで、携帯電話網全体の情報を管理する。本実施形態でいう契約情報とは、携帯電話機の契約者に関する情報や、携帯電話機に提供されるサービスに関する契約に関する情報を含んでいる。
【００２３】
図１に示した通信システムでは、ＡＳ装置１０１は複数のＣＳＣＦ１０２ａ〜１０２ｎと通信している。ＡＳ装置１０１は、故障等によってダウンすることがある。故障が修復されてＡＳ装置１０１がダウンから復帰すると、ＣＳＣＦ１０２ａ〜１０２ｎに通信を再開することを通知する、再開信号がＡＳ装置１０１に含まれる分割送信装置からＣＳＣＦ１０２ａ〜１０２ｎに送信される。再開信号の送信は、１つのＣＳＣＦを単位にし、分割送信によって行われる。
なお、ＡＳ装置１０１は、ＣＳＣＦ１０２ａ〜１０２ｎと共に、ＣＳＣＦ１０２ａ〜１０２ｎ以外の通信ノード１０４と通信を行う場合もある。本実施形態では、説明の簡単のため、ＡＳ装置１０１が、接続されている複数のＣＳＣＦ１０２ａ〜１０２ｎにのみ再開信号を送信する例について説明する。
【００２４】
（分割送信装置）
図２は、図１に示したＡＳ装置１０１に含まれる分割送信装置２００を説明するための図である。分割送信装置２００は、ＡＳ装置の故障が修復されたとき、ＡＳ装置中の図示しない故障修復を検出するノードから、通信再開を指示する指示信号を受信する。このため、分割送信装置２００は、指示信号を受信する入出力Ｉ／Ｆ２０１ａ、指示信号の指示によりＣＳＣＦが再開信号の送信を受ける順番を決定する再開信号送信指示部２０２、再開信号送信指示部２０２の指示にしたがって、再開信号を入出力Ｉ／Ｆ２０１ｂを介してＣＳＣＦに送信する再開信号送信指示部２０３を備えている。
【００２５】
再開信号送信指示部２０２によるＣＳＣＦへ再開信号を送信する順番（本実施形態では、以下、「再開信号送信順序」と記す）の決定は、情報テーブル２０４を使って行われる。このため、分割送信装置２００は、情報テーブル２０４に書き込まれる情報を収集するための情報収集部２０５を備えている。情報収集部２０５は、収集されたＱｏＳ情報が蓄積されるＱｏＳ情報蓄積部２０６、収集された契約情報が蓄積される契約情報蓄積部２０７、収集された接続情報が蓄積される接続情報蓄積部２０８を備えている。
【００２６】
ＱｏＳ情報は、信号品質に係る情報であり、例えば、ＣＳＣＦと接続されていた携帯電話機の通信帯域を示す情報を含んでいる。接続情報は、ＣＳＣＦに接続されている携帯電話機によって実行されている処理の内容を示す情報であって、本実施形態では、再開の直前にＣＳＣＦと接続されていた携帯電話機に対する課金処理が行われていたか否か、携帯電話機がメールの送受信を行っていたか否かを示す情報を含んでいる。
【００２７】
契約情報には、携帯電話機の通信料金及び通信のデータ量に関する情報や、特定の携帯電話機との間に設定される通信料金に関する情報が含まれている。なお、特定の携帯電話機との間の通信料金に関する情報とは、特定の携帯電話機との間の通信料金の無料化、あるいは割引に関する情報を含む。以下、本実施形態では、通信料金の無料化や割引に関する情報を、割引情報と記す。
再開信号送信指示部２０２は、再開信号の送信に先立ち、情報収集部２０５が備える各構成によって蓄積された情報を使って情報テーブル２０４を作成し、再開信号送信順序を決定する。再開信号送信指示部２０３は、再開信号送信指示部２０２によって指示された順番で各ＣＳＣＦに再開信号を送信する。
【００２８】
（優先順位の決定）
図３は、図２に示した情報テーブル２０４を例示するための図である。図示した情報テーブルのうち、「ＣＳＣＦ番号」の欄３０１にはＣＳＣＦ番号を特定するために付されたＩＤ番号が書き込まれる。以下、図３の説明では、「ＣＳＣＦ番号」１のＣＳＣＦを「ＣＳＣＦ：ＮＯ１」、「ＣＳＣＦ番号」２のＣＳＣＦを「ＣＳＣＦ：ＮＯ２」のように、「ＣＳＣＦ：」の語句に続けて欄３０１中の数字を記して各ＣＳＣＦを特定する。
ＣＳＣＦ番号は、契約情報とは無関係に付されたものとする。また、「ユーザ」の欄３０２には、ＡＳ装置のダウン直前にＣＳＣＦに接続されていた携帯電話機の電話番号が書き込まれる。なお、図３には電話番号が１つ書き込まれた状態が示されているが、ＣＳＣＦには同時に複数の携帯電話機が接続されている場合が多い。
【００２９】
「優先呼」の欄３０３には、ＣＳＣＦが優先呼に専用のＣＳＣＦであるか否かが書き込まれる。優先呼とは、他の呼に優先してＣＳＣＦが処理すべき呼であって、例えば、基幹サービスにかかる呼等を指す。通信システムでは、優先呼を他の呼に優先して確実に接続するため、優先呼を処理する専用のＣＳＣＦが設定される。図３に示した例では、「○」はＣＳＣＦが優先呼に専用のＣＳＣＦであることを示し、「×」はＣＳＣＦが優先呼に専用のＣＳＣＦではないことを示している。
【００３０】
「契約サービス」の欄３０４には、ＣＳＣＦに接続されている携帯電話機ごとに、その携帯電話機が契約しているサービス数が書き込まれている。「課金済み呼」の欄３０５には、ＡＳ装置のダウン直前に、ＣＳＣＦと接続されていた携帯電話機の呼について課金が発生していたか否かが書き込まれる。図３に示した例では、「○」はＡＳ装置のダウン直前にＣＳＣＦに課金済みの呼が発生していたことを示し、「×」は課金済みの呼が発生していないことを示している。
【００３１】
「割引契約者あり」の欄３０６には、携帯電話機ごとに、その携帯電話機が他の携帯電話機との間で割引契約を結んでいるか否かを示す割引情報である。「メール送信履歴あり」の欄３０７には、ＡＳ装置と接続されていた携帯電話機がＡＳ装置のダウン直前にメール送信をしていたか否かが書き込まれる。
以上の情報のうち、「ユーザ」、「課金済み呼」、「メール送信履歴あり」の情報は各ＣＳＣＦから取得され、接続情報蓄積部２０８に記憶される情報である。「優先呼」、「契約サービス数」、「割引契約者あり」の情報は、ＨＬＲ１０３から取得され、契約情報蓄積部２０７に記憶される情報である。
【００３２】
上記した情報テーブルを使い、図２に示した再開信号送信指示部２０２は、最優先情報と第２優先順位とに基づいてＣＳＣＦを選択する。本実施形態では、「課金済み呼」、「優先呼」に該当する呼に最も高い優先順位である最優先順位を付し、その他の「契約サービス数」、「割引契約者あり」、「メール送信履歴あり」の条件に該当する呼に最優先順位の次に優先される優先順位である第２優先順位を付す。
【００３３】
図２に示した再開信号送信指示部２０２は、先ず、最優先順位である「課金済み呼」、「優先呼」の条件に該当する（「課金済み呼」、「優先呼」が「○」である）ＣＳＣＦを情報テーブルから抽出する。図３に示した例では、「課金済み呼」、「優先呼」の少なくとも一方が「○」である「ＣＳＣＦ：ＮＯ１」、「ＣＳＣＦ：ＮＯ５」、「ＣＳＣＦ：ＮＯ３」が最も早く再開信号を送信すべき最優先順位のＣＳＣＦ（以下、最優先ＣＳＣＦと記す）に設定される。
【００３４】
次に、図２に示した再開信号送信指示部２０２は、「課金済み呼」、「優先呼」以外の条件である「契約サービス数」に着目する。「契約サービス数」が多い携帯電話機の方が呼接続をＣＳＣＦに要求する回数が多い傾向があると考えられる。このため、再開信号送信指示部は、「契約サービス数」が最も多い「ＣＳＣＦ：ＮＯ５」が第２優先ＣＳＣＦに設定可能であると判断する。ただし、図３に示した例では、「ＣＳＣＦ：ＮＯ５」は既に最優先ＣＳＣＦに設定されているから、「ＣＳＣＦ：ＮＯ５」はそのまま最優先ＣＳＣＦに設定される。
【００３５】
また、再開信号送信指示部は、「課金済み呼」、「優先呼」以外の条件である「割引契約者あり」、「メール送信履歴あり」に着目する。このとき、「割引契約者あり」、「メール送信履歴あり」の少なくとも一方が「○」である「ＣＳＣＦ：ＮＯ２」、「ＣＳＣＦ：ＮＯ３」が第２優先順位のＣＳＣＦ（以下、第２優先ＣＳＣＦと記す）に設定可能であると判断される。ただし、図３に示した例では、「ＣＳＣＦ：ＮＯ３」は既に最優先ＣＳＣＦに設定されている。このため、「ＣＳＣＦ：ＮＯ３」はそのまま最優先ＣＳＣＦに設定され、「ＣＳＣＦ：ＮＯ２」だけが第２優先ＣＳＣＦに設定される。
【００３６】
図４は、以上説明した最優先ＣＳＣＦ、第２優先ＣＳＣＦを決定する処理を説明するための図である。このフローチャートは、図２に示した分割送信装置２００の再開信号送信指示部２０２によって実行される。再開信号送信指示部２０２は、入出力Ｉ／Ｆ２０１ａから指示信号が入力されると、図４のフローチャートに示した処理を開始する。処理の開始後、先ず、ＣＳＣＦから再開直前の状態を示す情報の取得が開始される（ステップＳ４０１）。ここでいう「直前」とは、現在から所定の比較的短い時間遡った時点をいう。接続情報の取得は、情報収集部２０５がＣＳＣＦから定期的にＱｏＳ情報、契約情報、接続情報を問い合わせて取得するものであってもよい。
【００３７】
ステップＳ４０１の処理により、ＣＳＣＦからは、課金に関する接続情報やＱｏＳ情報が図２に示した情報収集部２０５によって収集される（ステップＳ４０２）。また、情報収集部２０５は、ＨＬＲ１０３から契約情報を取得する。収集、取得されたＱｏＳ情報、契約情報、接続情報は、各々対応するＱｏＳ情報蓄積部、契約情報蓄積部２０７、接続情報蓄積部２０８に蓄積される。
【００３８】
分割信号送信指示部は、情報テーブルの作成に必要な情報の取得が完了したか否か判断する（ステップＳ４０４）。判断の結果、必要な情報が全て収集されていると判断されると（ステップＳ４０４：YES）、最優先順位、第２優先順位によってＣＳＣＦの優先順位、すなわち最優先ＣＳＣＦ、第２優先ＣＳＣＦが決定される（ステップＳ４０５）。そして、最優先ＣＳＣＦ、第２優先ＣＳＣＦと一度に再開信号を送信し得るＣＳＣＦの数とによってＣＳＣＦの再開信号送信順序が決定される（ステップＳ４０６）。
なお、ステップＳ４０４において、ＣＳＣＦの情報が取得できていないと判断された場合（ステップＳ４０４：NO）、情報が取得されるまでステップＳ４０１〜４０３の処理が繰り返される。
【００３９】
（分割送信方法）
以上のようにして最優先ＣＳＣＦ、第２優先ＣＳＣＦが決定される本実施形態では、最優先ＣＳＣＦ、第２優先ＣＳＣＦ、その他のＣＳＣＦの順序で再開信号が送信される。しかし、再開信号送信部が一度に送信できる再開信号の数には上限があって、この上限を超えるとバーストが発生することになる。このため、本実施形態では、情報テーブルで決定されたＣＳＣＦの優先順位と１度に送信できる再開信号の上限数とによって再開信号送信順序が決定されるものとする。
【００４０】
つまり、１度に送信できる再開信号の上限数をＮmax、同時に送信された再開信号を受信する複数のＣＳＣＦを「１セット」とすると、図２に示した再開信号送信指示部２０２は、最優先ＣＳＣＦの数と上限数Ｎmaxとを比較する。そして、最優先ＣＳＣＦの数が上限数Ｎmaxより多い場合、最優先ＣＳＣＦからランダムに上限数Ｎmax以内の最優先ＣＳＣＦが選択され、選択されたＣＳＣＦが１セットとなる。
【００４１】
一方、最優先ＣＳＣＦの数が上限数Ｎmaxより少ない場合、図２に示した再開信号送信指示部２０２は、最優先ＣＳＣＦの数と第２優先ＣＳＣＦの数との合計が上限数Ｎmax以下であるか否か判断する。合計が上限数Ｎmax以下であれば、最優先ＣＳＣＦと第２優先ＣＳＣＦとを１セットにして再開信号が送信される。また、最優先ＣＳＣＦの数と第２優先ＣＳＣＦの数との合計が上限数Ｎmaxより多ければ、最優先ＣＳＣＦのみを１セットにして再開信号が送信される。
【００４２】
図５は、図４に示したステップＳ４０６の処理をより詳細に説明するためのフローチャートであって、ＣＳＣＦの優先順位に基づいて再開信号送信順序を決定する処理を説明するための図である。図５に示した処理も、図４に示した処理と同様に、再開信号送信指示部によって実行される。
図２に示した再開信号送信指示部２０２は、図２に示した情報テーブル２０４を参照し、再開信号送信順序が未だ決定されていないＣＳＣＦのうち、現状で最も優先順位が高いＣＳＣＦがあるか否か判断する（ステップＳ５０１）。以下、本実施形態では、現状で最も優先順位が高いＣＳＣＦを最高優先順位ＣＳＣＦと記す。最高優先順位ＣＳＣＦは、処理の開始直後においては図３に示した最優先ＣＳＣＦである。ただし、送信順序は優先順位がより高いＣＳＣＦから決定されていくから、処理が進むにつれて第２優先順位ＣＳＣＦやそれ以下の優先順位を持つＣＳＣＦが最高優先順位ＣＳＣＦになり得る。
【００４３】
ステップＳ５０１において、最高優先順位ＣＳＣＦがあると判断された場合（ステップＳ５０１：YES）、この最高優先順位ＣＳＣＦの数が、分割送装置が再開信号を一度に送信できる上限数以下であるか否か判断される（ステップＳ５０２）。一方、ステップＳ５０１において、特に最高優先順位ＣＳＣＦがない場合（ステップＳ５０１：NO）、ステップＳ５０４において優先順位が下位のＣＳＣＦの有無が判断される。
【００４４】
ステップＳ５０２において、最高優先順位ＣＳＣＦの数が再開信号の上限数より大きいと判断された場合（ステップＳ５０２：NO）、最高優先順位ＣＳＣＦから上限数以内の数の最高優先順位ＣＳＣＦがランダムに選択される（ステップＳ５０３）。図２に示した再開信号送信指示部２０２は、選択された最高優先順位ＣＳＣＦを１セットとして再開信号送信順序を決定する（ステップＳ５０８）。
【００４５】
次に、ステップＳ５０２において、最高優先順位ＣＳＣＦの数が再開信号の上限数以下であるかと判断された場合（ステップＳ５０２：YES）、図２に示した再開信号送信指示部２０２は、優先順序がより下位のＣＳＣＦが図２に示した情報テーブル２０４上にあるか否か判断する（ステップＳ５０４）。優先順位が下位のＣＳＣＦがあると判断された場合（ステップＳ５０４：YES）、再開信号送信指示部は、優先順位が上位のＣＳＣＦと下位のＣＳＣＦとの合計が再開信号の上限数以下であるか否か判断する（ステップＳ５０５）。
【００４６】
また、ステップＳ５０４において、優先順位が下位のＣＳＣＦがない場合（ステップＳ５０４：Ｎｏ）、及び最高優先順位ＣＳＣＦと優先順位が下位のＣＳＣＦとの合計が再開信号の上限数以下ではない場合（ステップＳ５０５：NO）、最高優先順位ＣＳＣＦのみが１セットに設定され（ステップＳ５０６）、再開信号送信順序が決定される（ステップＳ５０８）。
ステップＳ５０５において、優先順位が上位のＣＳＣＦと下位のＣＳＣＦとの合計が再開信号の上限数より大きいと判断された場合（ステップＳ５０５：YES）、最高優先順位ＣＳＣＦと優先順位が下位のＣＳＣＦとが１セットに設定され（ステップＳ５０７）、再開信号送信順序が決定される（ステップＳ５０８）。
【００４７】
再開信号送信の順序決定後、図２に示した再開信号送信指示部２０２は、未だ送信順序の決まっていないＣＳＣＦがあるか否か判断する（ステップＳ５０９）。送信順序が決まっていないＣＳＣＦがある場合には（ステップＳ５０９：Ｙｅｓ）、図２に示した再開信号送信部２０２は、最高優先順位ＣＳＣＦを、優先順位がより下位のＣＳＣＦに置き換えて再開信号の送信順序の決定を繰り返す。
【００４８】
また、ステップＳ５０９において、送信順序が決まっていないＣＳＣＦがないと判断された場合（ステップＳ５０９：Ｎｏ）、図５に示したフローチャートは終了する。
以上説明した本実施形態によれば、移動機の契約情報ばかりでなく、通信の再開の直前にＣＳＣＦに接続されていた携帯電話機の処理の内容（課金処理やメール送信処理）に基づいてＣＳＣＦごとの通信再開に係る優先順位を判定することができる。そして、この優先順位に基づいて再開信号を送信しているから、通信を早期に再開すべきＣＳＣＦから順次通信を再開させることができる。
【００４９】
このような本実施形態によれば、ＡＳ装置が故障した場合に課金処理が中断される可能性を低減し、送信したメールに対する受信に支障がでることを緩和することができる。このため、本実施形態は、ＡＳ装置の故障後であっても通信にかかるサービスの提供が中断されることを極力なくし、ＣＳＣＦと接続していた移動機のユーザの満足度を高めることができるという効果を得ることができる。
なお、以上説明した本実施形態では、タイムアウトが発生する処理の例として課金処理を示したが、本実施形態は課金処理に限定されるものでなく、例えば、ネットワークを介したショッピングのように、所定の時間に入力がなかった場合、手続きが未完了のまま終わるシステムにも適用することが可能である。
【００５０】
（変形例１）
図６（ａ）、（ｂ）は、上記した本実施形態の変形例１を説明するための図であって、ＡＳ装置１０１の分割送信装置が契約情報や接続情報を取得、収集する処理のバリエーションを説明している。
すなわち、本実施形態は、図２に示した情報収集部２０５によってＱｏＳ情報、契約情報、接続情報が一定の周期でＣＳＣＦ１０２ａ〜１０２ｎから収集されるものとした。しかし、本実施形態は、このような構成に限定されるものでなく、図２に示した情報収集部２０５が再開信号の送信が必要になったときにＣＳＣＦからＱｏＳ情報等を収集するものであってもよい。
【００５１】
ＣＳＣＦ１０２ａ〜１０２ｎは、接続情報を蓄積しておくメモリを備え、接続情報は、このメモリに時間に対応付けて記憶されている。図２に示した情報収集部２０５が再開信号の送信が必要になったとき契約情報を収集する場合、ＣＳＣＦは、再開信号送信の直前の時間に対応する接続情報を読み出して情報収集部２０５に通知する。
また、本実施形態は、図６（ａ）のようにＣＳＣＦ１０２ａ〜１０２ｎの各々から情報を収集するものに限定されるものではない。例えば、図６（ｂ）のように、ＡＳ装置１０１に接続されている複数の接続ノードのうちの１つに他の接続ノードがＱｏＳ情報や契約情報を送信し、蓄積しておくものであってもよい。図６（ａ）に示した例では、複数のＣＳＣＦからＯＰＳ（Operation System）６０１に接続情報が蓄積されている。ＡＳ装置１０１は、ＯＰＳから複数のＣＳＣＦの接続情報を収集している。
【００５２】
（変形例２）
図７（ａ）、（ｂ）は、ＡＳ装置１０１の故障が重度の場合に適用される変形例２を説明するための図である。図７（ａ）は、ＡＳ装置１０１が複数のＣＳＣＦ１０２ａ〜１０２ｎのメモリから接続情報が読み取れない場合に適用される処理を説明するための図である。このような場合、ＡＳ装置１０１は、ＡＳ装置１０１が含まれるネットワークの他のＡＳ装置１０１’に、接続情報等の取得の時間を指定して通信を再開する処理の代替えを依頼する。
なお、ＡＳ装置１０１’は、ＡＳ装置１０１の代替えとして予め設定されている冗長用ＡＳ装置であってもよいし、通常は他のＣＳＣＦと接続されるＡＳ装置であってもよい。
【００５３】
図７（ｂ）は、ＡＳ装置１０１が開始した通信の再開処理が継続できなくなった場合に適用される処理を説明するための図である。ＡＳ装置１０１とＡＳ装置１０１’とは定期的にヘルスチェックしていて、ＡＳ装置１０１’はＡＳ装置１０１がヘルスチェックに応答しなくなったとき、能動的に動作してＡＳ装置１０１の通信再開処理を代替えするものであってもよい。また、ＡＳ装置１０１が、ヘルスチェックに応答できない状態になったとき、ＡＳ装置１０１’に通信の再開処理の代替えを依頼するものであってもよい。
【００５４】
（変形例３）
さらに、本実施形態は、以上説明した構成に限定されるものではない。すなわち、上記した分割送信方法及び分割送信装置では、ＣＳＣＦの優先順位を決定し、この優先順位がより高いＣＳＣＦから順に再開信号を送信している。しかし、本実施形態では、決定された優先順位の低いＣＳＣＦから順に再開信号を送信するようにしてもよい。このような動作は、次のような場合に効果を奏する。
【００５５】
一般的に知られているように、ＣＳＣＦとＡＳ装置、ＣＳＣＦと携帯電話機とは、ユーザデータを送受信するためのユーザ情報転送プレーン（Ｕ−ｐｌａｎｅ）と、ユーザデータの転送に先立って接続要求をする、あるいはユーザデータの転送終了後に切断を要求する呼制御信号プレーン（Ｃ−ｐｌａｎｅ）とによって通信している。ＣＳＣＦが携帯電話機とＵ−ｐｌａｎｅによる通信が継続しているとき、ＡＳ装置がＣＳＣＦに再開信号（保守信号）を送信すると、ＣＳＣＦと携帯電話機とのＵ−ｐｌａｎｅによる通信が切断される場合がある。
優先順位の低いＣＳＣＦから順に再開信号を送信する変形例は、上記の場合を考慮したものである。このような変形例によれば、上記の場合において、ＣＳＣＦでいったん確立された通信を可能な限り長時間維持することができる。
【００５６】
（変形例４）
また、本実施形態では、優先順位の高いＣＳＣＦから順に再開信号を送信する場合に、ＣＳＣＦでいったん確立された通信の有無を考慮することもできる。このような場合、例えば、ＣＳＣＦごとにカウント値を設定し、このカウント値の大きさにしたがってＣＳＣＦに再開信号を送信する優先順位を決定することが考えられる。
すなわち、図３に示した情報テーブル２０４中の「優先呼」、「課金済み呼」が「○」であること、「契約サービス数」が多いこと、「割引契約者」、「メール送信履歴」が「あり」であること等について該当するＣＳＣＦのカウント値をカウントアップし、携帯電話機との通信が確立されているＣＳＣＦについてはカウント値をカウントダウンする。そして、カウントアップ、カウントダウンの結果得られた総合的なカウント値が大きいＣＳＣＦから順番に再開信号を送信してもよい。
【００５７】
なお、このような変形例４は、携帯電話機との通信が確立されている、あるいは「優先呼」に該当する、といった各項目について一定の値をカウントするものに限定されるものではない。例えば、ＣＳＣＦと通信が確立されている携帯電話機の数や「優先呼」、「課金済み呼」、「契約サービス数」、「割引契約者」、「メール送信履歴」の別によってカウントダウン、またはカウントアップされる値に重みを付すようにすることも考えられる。
このような変形例４によれば、優先順位の高い、低いを総合的に考慮してＣＳＣＦに対する再開信号の送信順序を決定することができる。
【産業上の利用可能性】
【００５８】
以上説明した本発明は、ユーザのサービスや通信を制御する複数の接続装置とアプリケーションサーバとが接続し、サービスや通信を制御する形態で、故障から回復したアプリケーションサーバが接続する、ユーザのサービスや通信を制御する複数の接続装置に対して、通信再開を通知するシステムであれば、どのような場合にでも適用することが可能である。
【符号の説明】
【００５９】
１０１  ＡＳ装置
１０２  ＣＳＣＦ
１０３  ＨＬＲ
２００  分割送信装置
２０２  再開信号送信指示部
２０３  再開信号送信指示部
２０４  情報テーブル
２０５  情報収集部
２０６  ＱｏＳ情報蓄積部
２０７  契約情報蓄積部
２０８  接続情報蓄積部
３０１〜３０７  欄
６０１  ＯＰＳ
【図１】
0005536626.tif 000002
【図２】
0005536626.tif 000003
【図３】
0005536626.tif 000004
【図４】
0005536626.tif 000005
【図５】
0005536626.tif 000006
【図６】
0005536626.tif 000007
【図７】
0005536626.tif 000008